(57)【要約】燃料を供給し、また飲料水などの他の種類の液体を貯蔵しかつ購入するために供する可動式装置として、分与手段と、ポンピング手段と、制御ユニットおよび支払いカード取り扱い手段を有する動作ユニットとを備える液体分与スタンドが設計された。全ての付属品が、少なくとも二つの長手方向ビーム（１３）および少なくとも二つの横断方向ビーム（１４）によって強化された少なくとも垂直方向壁（１２）とを有する、ジャケットを有するフレームを備える共通ハウジング（１）に配置される。タンク（５）は、一対のホルダ（１５）および一対の足部（１６）によってフレーム（１０）の底部分に取り付けられ、両方の対が相互に対角線方向に配置される。足部（１６）は、タンク５の弾性台座のための手段を備える。ハウジング（１）内で、タンク５に隣接して、液体供給モジュール（２）と、取り入れモジュール（３）と、電子モジュール４とが配置される。垂直方向壁（１２）の一つに配置されたフェースパネル（２０，３０，４０）を有するモジュール（２，３，４）が、好ましくは、スライド取り外し可能なルーフ（１８）として設計される。液体供給モジュール（２）は、ホースを有する手持ち式のノズル（２１）を含む分与手段を備える。
2004530606.tif 000002
【特許請求の範囲】
【請求項１】
特に燃料のための液体分与可動式スタンドであって、分与手段と、ポンピング手段と、制御ユニットおよび支払いカード取り扱い手段を有する動作ユニットとを備え、全ての付属品が共通ハウジング内に配置される液体分与可動式スタンドにおいて、前記ハウジング（１）が、少なくとも二つの長手方向ビーム（１３）と、少なくとも二つの横断方向ビーム（１４）によって強化された少なくとも垂直方向壁（１２）と、前記タンク（５）を支持するフレーム（１０）の底部分とを有する、ジャケットを有するフレームを備えるとともに、タンク（５）に隣接してハウジング（１）内に液体供給モジュール（２）と、取り入れモジュール（３）と、電子モジュール（４）とが配置され、前記モジュール（２，３，４）が、前記ハウジング（１）の垂直方向壁（１２）の少なくとも一つに配置されたフェースパネル（２０，３０，４０）を有することを特徴とする、液体分与可動式スタンド。
【請求項２】
タンク（５）が、一対のホルダ（１５）および一対の足部（１６）によって前記フレーム（１０）の底部分に取り付けられ、足部（１６）が、タンク（５）の弾性台座のための手段を備えるとともに、両方の対が相互に対角線方向に配置されることを特徴とする、請求項１に記載の燃料可動式スタンド。
【請求項３】
タンク（５）が、立方体形状であることを特徴とする、請求項１又は請求項２に記載の燃料可動式スタンド。
【請求項４】
液体供給モジュール（２）、および／又は前記取り入れモジュール（３）、および／又は前記電子モジュール（４）が、スライド取り外し可能なユニットとして設計されることを特徴とする、請求項１から請求項３のいずれかに記載の燃料可動式スタンド。
【請求項５】
ハウジング（１）が、少なくとも前記タンク（５）上に取り外し可能なルーフ（１８）を備えることを特徴とする、請求項１から請求項４のいずれかに記載の燃料可動式スタンド。
【請求項６】
液体供給モジュール（２）が、ホースを有する手持ち式のノズル（２１）を含む分与手段を備えることを特徴とする、請求項１から請求項５のいずれかに記載の燃料可動式スタンド。
【請求項７】
電子モジュール（４）が、制御ユニット（４２０）およびカード取り扱い装置（４１０）を備え、前記カード取り扱い装置が、カード読み取りおよびカードへの記録のための手段を備え、電子モジュールが、さらにデータ送信ブロック（５００）を備えることを特徴とする、請求項１から請求項６のいずれかに記載の燃料可動式スタンド。
【請求項８】
電子モジュール（４）が、マイクロフォンおよびスピーカを有する音声ユニット（４５）を備えることを特徴とする、請求項１から請求項７のいずれかに記載の燃料可動式スタンド。
【請求項９】
ハウジング（１）が、自動動作消化装置を備えることを特徴とする、請求項１から請求項８のいずれかに記載の燃料可動式スタンド。
【発明の詳細な説明】
【技術分野】
【０００１】
本発明は、分与手段と、ポンピング装置と、制御ユニットおよび支払いカード処理手段を有する動作ユニットとが備えられた、特に燃料のための液体分与可動式スタンドに関するものである。
【背景技術】
【０００２】
現存するガソリンスタンドは、その容積が数立方メートルに達する地中タンクを備え、さらに、サービス店舗あるいは、分与手段を有するサービス店舗を備える。通常セルフサービスモードの顧客である自動車の運転者は、自分の自動車のタンクを所望の量の燃料で満たし、かつディスプレイ上で、運転者は、それぞれの単価、取り入れられた燃料の全量、およびその量に対する支払うべき結果としての価格を知る。次に、運転者は、スタンドのレジに表示された価格を支払うことになる。
【０００３】
記述された標準のタイプのガソリンスタンドは、燃料の漏出とそれによる周囲土壌への汚染を防止するため必要な構成を含む、地中タンクの構成を必要とする。システムは、また、少なくともレジに、スタンドを担当する人員を必要とする。ほとんどの場合において、スタンドは、一日中稼動し、したがってかなり多くのスタッフが必要である。例えば迂回路に、一時的なスタンドを開く必要があるとき、現在一杯であるスタンドが、利用できない又は接近することができず、次のスタンドが遠く離れているときなどの異なる状況が起きる。そのような問題は、現在の標準的な手段によっては満足に解決されることができない。
【０００４】
文献ＰＣＴ  ＣＺ００／０００６１（対応国際公開第０２／２０３９３号パンフレット）に記述された燃料可動式スタンドが知られており、そのスタンドは、分与手段と、支払いカード処理手段およびデータ送信ブロックを備える動作ユニットとを備えるサービススタンドを備える。その文献に記述される構成は、そのようなスタンドの輸送および設置の問題を解決しない。一般の慣例として、輸送ハウジングは、それぞれ標準および規制に準拠しなければならず、燃料タンクの場合は、そのような規制、特に安全に関する規制は、非常に厳しくかつ負担である。
【特許文献１】
国際公開第０２／２０３９３号パンフレット
【発明の開示】
【発明が解決しようとする課題】
【０００５】
安全な輸送を可能にし、設置および撤去を容易にし、かつ、中断されずかつ安全なスタンドの稼動をいかなる場所でも可能にする液体分与スタンドを設計することが、本発明の目的である。
【課題を解決するための手段】
【０００６】
以下の手段、すなわち、全ての付属品が共通のハウジング内に配置される、分与手段と、ポンピング装置と、制御ユニットおよび支払いカード処理手段を有する動作ユニットとが備え付けられた、液体分与可動式スタンドによって、前述の問題が解決され、かつ上記に示された目的が達成されるものである。本発明による実施形態におけるスタンドは、ジャケットを有するフレームを有するハウジングを備え、ハウジングの少なくとも垂直方向の壁は、少なくとも二つの長手方向ビームおよび少なくとも２つの横断方向ビームで強化され、ハウジングの底部は、タンクを支持する。タンクに隣接するハウジング内に、液体供給モジュール、取り入れモジュール、および電子モジュールが配置され、それらのモジュールは、ハウジングの垂直方向の壁の一つに配置されたフェースパネルを有する。
【０００７】
さらに本発明によれば、好ましくは立方体形状のタンクは、一対のホルダおよび一対の足部によって、フレームの底部分に取り付けられる。足部が、タンクの弾性台座のための手段を備えるとともに、前記対は、互いに対角線方向に配置される。
【０００８】
好ましい実施形態において、ハウジングは、少なくともタンク上に取り外し可能なルーフを備える。
【０００９】
さらに本発明によれば、液体供給モジュールおよび／又は取り入れモジュールおよび／又は電子モジュールは、スライド取り外し可能なユニットとして設計される。
【００１０】
他の好ましい実施形態において、液体供給モジュールは、ホースを有する手持ち式ノズルを含む分与手段を備える。
【００１１】
電子モジュールは、好ましくは、制御ユニットと、データ送信ブロックと、カードの読み取りおよびカードへの読み取りのための手段を備える、カード処理装置とを備える。
【００１２】
提供されるサービスのさらなる改善のために、電子モジュールは、マイクロフォンおよびスピーカを有する音声ユニットを備えることができる。
【００１３】
動作の安全性を改善するために、ハウジングは、自動作動消火器を備えるべきである。
【発明の効果】
【００１４】
上述の解決方法は、常勤スタッフを必要としないセルフサービスベースで十分に稼動する施設を提供し、前記施設は、過剰な投資費用なしに目下必要とするいかなる場所にでも、液体分与スタンドを設置することを可能にする。機械および電子構成部品のモジューラ設計に加えて、ハウジングおよびタンクの構成は、水から燃料など供給される非常に多様な液体を提供する。全ての情報は、顧客に光学方法および音響方法で提示されることができる。タンクは、その輸送については、空の状態と同様に充填された状態でも可能となる。本発明に係る技術のスタンドは、各スタンドの構成によって、特定の又は現行の支払いカードのいかなる所有者にでも対応することができる。
【発明を実施するための最良の形態】
【００１５】
本発明は、添付の図面に示される例によって例示される。図１は、スタンドの好ましい実施形態の前方立面図であり、図２は、部分断面図でのスタンドの前方立面図であり、そして、図３は、動作ユニットのブロック図を提供する。
【００１６】
図１に示されるように、液体分与スタンドは、単一のハウジング１を備え、この内側に、分与手段およびポンピング装置を有する液体供給モジュール２と、取り入れモジュール３と、電子モジュール４と、タンク５とが配置される。必要な機械的な剛性に関して、図２に見ることができるようにハウジング１は、ジャケットによって囲まれた剛性フレームとして構成される。フレームは、支持体１０で構成され、該支持体は、コーナーにおいてともに固定され、かつコーナー部品１１によって強化される。ジャケットの全ての垂直方向の壁１２は、長手方向ビーム１３と横断方向ビーム１４とによって強化される。図示された実施形態において、二つの長手方向ビーム１３と二つの横断方向ビーム１４とが使用される。フレームの底部分のコーナーにおいて、タンク５を固定する取り付けられたホルダ１５および足部１６がある。フレームの底部分は、また、長手方向および横断方向のビーム１３、１４で強化されている。フレームの前記部分と、支持体１０と、コーナー部品１１と、長手方向および横断方向ビーム１３、１４と、ホルダ１５と、足部１６との全ては、好ましくは溶接によって単一の剛性体になるよう互いに相互接続される。
【００１７】
液体を貯蔵するために利用可能な最大容積を達成するように立方体形状を有するタンク５は、四つのコーナー点でフレームに固定される。それらのうちの二つのコーナー点は、対角線方向に配置されたホルダ１５であり、他の二つのコーナー点は、足部１６であり、タンク５の弾性台座のための手段が備えられており、該手段は、タンク５へのフレーム変形の伝達を最小にする。ハウジング１の上述の設計とともにそのようなタンク取り付けは、実施形態が、規格ＩＳＯ  ６６８による外形寸法を有し、規格ＩＳＯ  １４９６およびＩＳＯ  １１６１の要件を満たし、したがって完全なスタンドの容易な輸送を提供することを可能にする。
【００１８】
タンク５の内側は、輸送の間のタンク５に対する、貯蔵された液体の圧力衝撃を十分に低減する穿孔された仕切り壁が備え付けられる。タンク５の底は、その中心に向かって傾斜が付けられる。ハウジング１の上部分には、液体の取り入れおよび分与のために、ならびにタンク５の内側空間の空気の流通のためにパイプ１７が配置されている。タンク５の特定の設計は、貯蔵された液体のタイプに依存する。タンク５の構成は、空の状態および充填された状態の両方での輸送を可能にする。
【００１９】
タンク５のジャケットは、フレーム上方デッキの一部として取り外し可能なルーフ１８を備える。該ルーフ１８は、フレーム内へのタンク５の設置、およびその後の点検および保守を容易にする。ルーフ１８は、ハウジング１の上表面を完全に覆うことができ、又はその一部だけを覆うことができる。いずれにしても、ルーフ１８は、少なくともタンク５上の領域において、フレームジャケットの一部となるものである。
【００２０】
図２に示された前壁の垂直方向壁１２のうちの一つに、液体供給モジュールのパネル２０、取り入れモジュールのパネル３０、および電子モジュールのパネル４０が配置される。各モジュール２０、３０、４０は、スライド取り外し可能なユニットとして設計され、したがって、保守、修理、および必要なときにいかなるユニットでも取替えを容易にする。各モジュール２０、３０、４０の設計および構成は、タンク５内に貯蔵されてそのタンクから分与される特定の液体に依存する。
【００２１】
手持ち式のノズル２１およびホースを含む分与手段から離れた液体供給モジュール２は、タンク５に貯蔵された液体を取り扱うための全ての装置を含み、液体の制御されかつ測定された取り入れおよび分与を可能にする。手持ち式のノズル２１は、顧客の容器へ直接液体を分与する作用をする。フローインジケータ２２は、ノズル２１を介して分与されたときに液体の循環を示す。標準のガソリンスタンドで一般に使用されるサービス店舗は、本発明によるスタンドにおいては存在しない。
【００２２】
取り入れモジュール３は、タンク５の補充のために作用する。取り入れ連結部品３１は、タンク５への液体の安全で制御された流れを提供する。取り入れモジュール３は、ロック３２を有する閉鎖ふたが備え付けられる。
【００２３】
本発明によるスタンドは、電子モジュール４の前面パネル４０に配置される制御要素によって制御される。前面パネル４０は、カードユニット４１、タンクに入れられた液体の関するキャッシュレスの支払いのためのカード識別コードを設定する押しボタン４２、および緊急呼び出し押しボタン４３を提供する。任意の支払いが、前面パネル４０で識別された空間内に配置されたクレジットカードによって実行される。液体分与を取り扱うために必要な全ての情報が、ディスプレイ４４上に現れる。顧客のスタンドとの通信を改善するために、マイクロフォンおよびスピーカを有する利用可能なビルトイン音声ユニット４５がある。通気開口４６が、いかなる燃料がタンクに入れられた場合にでも、電子モジュール４の安全な動作を確実にする。ハウジング１の上方デッキに配置されたＧＳＭアンテナが、液体分与可動式スタンドのネットワークの制御システムへの全ての制御および情報データの伝送を提供する。
【００２４】
電子モジュール４は、測定ユニット４００、カード取り扱い装置４１０、制御ユニット４２０、パラメータ監視ブロック４３０、およびデータ送信ブロック５００を備える。図３に見られるように、測定ユニット４００の出力に、接続された単価ディスプレイ４４１、タンクに入れられた総量ディスプレイ４４２、終結価格ディスプレイ４４３、およびカード残額ディスプレイ４４４がある。
【００２５】
好ましくは、プロセッサを備える制御ユニット４２０には、四つのポートが備えられる。第一のポート４２１に、接続されたカード取り扱い装置４１０があり、第二のポート４２２は、測定ユニット４００に接続され、第三のポート４２３は、パラメータ監視ブロック４３０の出力に接続され、第四のポート４２４は、ポンプ制御ブロック４５０に接続される。
【００２６】
測定ユニット４００は、制御ユニットと通信するためのポート４０１、タンク内容の信号入力４０２、およびデータ送信ポート４０３を有する。データ送信ポート４０３およびパラメータ監視ブロック４３０出力は、それぞれデータ送信ブロック５００の入力に接続される。
【００２７】
ガソリン、石油、オイルなどの可燃性液体を供給するためのスタンドのハウジング１は、取り入れモジュール３および液体供給モジュール２の近くに配置され、内側に配置された自動消火器がさらに備え付けられる。消火器は、図面には示されていない。タンク５、又は取り入れモジュール３あるいは液体供給モジュール２内のいかなる装置の故障の場合にも、このタイプの液体の望ましくない漏出は、ハウジング１のフレームの耐漏出ジャケットによって妨げられる。スタンド輸送のいかなる段階の間にでも、液体の望ましくない出現は、異なる屈折率を有する媒体の境界表面上での光子損失の原理で動作する特定のセンサによって監視される。知られているそのようなセンサ装置は、図面には示されていない。
【００２８】
電源は、電力配電網から直流的に分離され、各設置場所で接地されることによって本装置自身を保護する。蓄電池が、いかなる配電網の停止の場合にも、時間が制限された予備電源として供する。スタンドの可動性を増大するために、単相電源が好ましい。
【００２９】
本発明によるスタンドは、以下のように動作する；
本発明によるスタンドからサービスを受けるために、顧客は、「電子財布」、すなわち無接触データ検知を有するカードなどのクレジットカードが必要である。カードは、カード取り扱い装置４１０の一部であるカードユニット４１内に挿入され、カードユニット４１で、カードの認証が実行される。不適切なカード又はクレジットがゼロであるカードが挿入された場合、制御ユニット４２０の第４のポート４２４からの信号によって、液体の収集が、完全に妨げられる。反対に、カードおよびそのカードのゼロでないクレジットが受け入れられた後に、分与手段は利用可能になり、顧客は、カードに現存するクレジットに対応する容積での液体のいかなる量でも収集することができる。液体のタンクに入れられた容積に比例して、カードのクレジットはゼロ値に向かって低減され、さらなるタンクへ入れることが自動的に完全に停止されることになる。タンクに入れられた液体容積の価格は、カードのクレジット総額から差し引かれ、結果として生じる値は、カード取り扱い装置４１０によってカードに入力される。顧客による操作の開始および停止は、構成がそのようなものとして知られている手持ち式のノズル２１による標準的な手順で実行される。ポンプを遮断する信号は、また、制御ユニット４２０の１つの出力からポンプ制御ブロック４５０に送られることができる。
【００３０】
パラメータ監視ブロック４３０は、タンク５内部の液体容積、その温度などのパラメータを監視する。そのブロックは、また、スタンドのいかなる操作も監視するので、どのような盗難でも、又は、このスタンドを無許可で他の場所へ輸送することが防止されることになる。全ての得られたデータは、連続して又は事前設定された時間間隔で自動的に本部に伝送され、本部は、全ての液体分与スタンドからのデータを収集する。
【００３１】
データ送信ブロック５００によって、特定の液体の実際の価格を電子モジュール４に、すなわち測定ユニット４００に入力することが可能である。非接触カードと、カード読み取りだけでなくカードへの記録も可能なセンサとの適用によって、恒久的な電話回線に接続されたモデムによるカードの認証を無くす。全てのオンライン制御およびオフライン情報送信は、ＧＳＭ、ＵＭＴＳ、ＦＶＡ、又は他のネットワークによる無線で実行される。そのようなシステムは、標準の電話ネットワークが利用できない場所でも、スタンドの迅速な設置を確実にする。
【産業上の利用可能性】
【００３２】
この液体分与スタンドは、燃料を供給するための可動式設備として設計されたが、飲料水などの、他の種類の液体の貯蔵および購入のための手段としても使用されることができる。
【図面の簡単な説明】
【００３３】
【図１】スタンドの好ましい実施形態の前方立面図。
【図２】部分断面図でのスタンドの前方立面図。
【図３】動作ユニットのブロック図。
【符号の説明】
【００３４】
１  ハウジング
２  液体供給モジュール
３  取り入れモジュール
４  電子モジュール
５  タンク
１０  フレーム  支持体
１２  垂直方向壁
１１  コーナー部品
１３  長手方向ビーム
１４  横断方向ビーム
１５  ホルダ
１６  足部
１７  パイプ
１８  取り外し可能なルーフ
２０  フェースパネル
２１  手持ち式のノズル
２２  フローインジケータ
３０  フェースパネル
３１  取り入れ連結部品
３２  ロック
４０  フェースパネル  フロントパネル
４１  カードユニット
４２  押しボタン
４３  緊急呼び出し押しボタン
４４  ディスプレイ
４５  マイクロフォン及びスピーカを有する音声ユニット
４６  通気開口
４００  測定ユニット
４１０  カード取扱い装置
４２０  制御ユニット
４３０  パラメータ監視ブロック
４４１  単価ディスプレイ
４４２  タンクに入れられた総量ディスプレイ
４４３  終結価格ディスプレイ
４４４  カード残額ディスプレイ
４５０  ポンプ制御ブロック
５００  データ送信ブロック
【国際公開パンフレット】
2004530606.tif 000003
2004530606.tif 000004
2004530606.tif 000005
2004530606.tif 000006
2004530606.tif 000007
2004530606.tif 000008
2004530606.tif 000009
2004530606.tif 000010
2004530606.tif 000011
2004530606.tif 000012
2004530606.tif 000013
2004530606.tif 000014
【国際調査報告】
2004530606.tif 000015
2004530606.tif 000016
2004530606.tif 000017